(57)【要約】【課題】三端子電子部品の取外しにも対応出来る小型電気加熱具を提供する。【解決手段】棒状のヒーターを内蔵するヒーターチップと、前記ヒーターチップの一端に取り付けられ、剛性の高いコイル状の放熱部と、前記放熱部の、前記ヒーターチップとは反対側の端に設けられる指キャップコイルとからなることを特徴とする小型電気加熱具、及び前記小型電気加熱具の三組と、前記小型電気加熱具の各ヒーターと電気的に接続されている柄部とを有し、前記柄部は、保持操作用ケースと電源コード部分からなることを特徴とする三端子電子部品対応小型加熱器。【選択図】図１
2014000596.tif 000002
【特許請求の範囲】
【請求項１】
棒状のヒーターを内蔵するヒーターチップと、前記ヒーターチップの端に取り付けられた剛性の高い棒状の放熱部と、前記放熱部の、前記ヒーターチップとは反対側の端に設けられる指キャップコイルとからなることを特徴とする小型電気加熱具。
【請求項２】
前記放熱部が、硬線の放熱コイルであることを特徴とする請求項１に記載の小型電気加熱具。
【請求項３】
前記放熱部が、穴あきパイプであることを特徴とする請求項１に記載の小型電気加熱具。
【請求項４】
前記指キャップコイルが、軟線より形成されることを特徴とする請求項１に記載の小型電気加熱具。
【請求項５】
請求項１に記載の小型電気加熱具と、前記ヒーターと電気的に接続されている柄部とを有し、前記柄部は、保持操作用ケース部と電源コード部からなることを特徴とする小型電気加熱器。
【請求項６】
請求項１に記載の小型電気加熱具を複数の三組まで対応出来る、前記小型電気加熱具の各ヒーターと電気的に接続されている柄部とを有し、前記柄部は、保持操作用ケースと電源コード部分からなることを特徴とする三端子電子部品対応小型加熱器。
【発明の詳細な説明】
【技術分野】
【０００１】
本発明は、配線基板からの電子部品の取外しをする際に、所定箇所の加熱等に用いられる小型電気加熱具（電気鏝）及びその小型電気加熱具を用いた小型電気加熱器に関する。
配線基板上に実装されている三端子電子部品までの取外しに用いる。
【背景技術】
【０００２】
小型の電子部品の取外しにはホットピンセットと称される小型電気加熱具が用いられている（特許文献１）。このホットピンセットは、柄とその両端部に設けられている一対の可動ヒーターからなり、開閉可能な構造になっている。加熱した柄の可動ヒーター部分を、例えば親指と人差し指により動かして電子部品をつかみ、半田を溶かして実装基板より電子部品を取外している。
【先行技術文献】
【特許文献】
【０００３】
【特許文献１】特開２００４−３１４１１２号公報
【発明の概要】
【発明が解決しようとする課題】
【０００４】
このホットピンセットは、チップ抵抗やコンデンサー等の通常の二端子電子部品の取外しに利用されている。しかし、近年、トランジスタやサイリスタ、三端子レギュレーター、三端子コンデンサー、ホールＩＣ等の三端子電子部品が実装基板に数多く使用されている。そして、ホットピンセットでは、三端子電子部品の取外しには対応できない欠点があった。
【０００５】
本発明は、三端子電子部品の取外しにも対応出来る小型電気加熱具を提供することを課題とする。この課題は、以下に示す構成からなる発明により解決される。
【課題を解決するための手段】
【０００６】
本発明の第一の態様は、棒状のヒーターを内蔵するヒーターチップと,前記ヒーターチップの一端に取り付けられ、剛性の高い棒状の放熱部と、前記放熱部の、前記ヒーターチップとは反対側の端に設けられる指キャップコイルとからなることを特徴とする小型電気加熱具である。
【０００７】
ヒーターとは棒状であって、外部から供給される電力により発熱する部分である。ヒーターチップとは、ヒーターの発熱により加熱され、その熱を先端に伝達する細い棒状の部分であり、ヒーターチップの先端を加熱対象の所定箇所に当接することにより、当該所定箇所の加熱が行われる。指キャップコイルは放熱部と一端が接着又は一体化したコイルであって、指先にフィットした形状を有する。この指キャップコイル内に指先を挿入する。又は、指先に巻いて指キャップコイルを形成する。
【０００８】
指キャップコイル中の指先により小型電気加熱具を操作して、ヒーターチップを、前記所定の箇所すなわち加熱しようとする箇所に当接する。発熱したヒーターからの熱は、放熱部により遮断され指キャップコイルにはほとんど伝達されないので、指先が熱くなることはない。
【０００９】
指キャップコイルは、塑性変形しやすい線、すなわち軟線により形成されることが好ましい。指キャップコイルが軟線により形成される場合は、前記軟線を指先上に巻いて指キャップコイルを形成することができる。指キャップコイル中の１本の指先により、小型電気加熱具の操作を容易に行うことができる。
【００１０】
放熱部とは、高い放熱性を有する棒状の部分であって、ヒーターで発生した熱を棒状の他端（ヒーター側とは反対の端）に設けられる指キャップコイルに伝達しない機能を有する部分である。又、放熱部は、高い剛性を有する。剛性が高いとは、指や手等により加えることができる力によっては、実質的に塑性変形せず、かつほとんど弾性変形をしないことすなわち剛性率が大きい（すなわち変形しにくい）ことを意味する。さらに、放熱部には、曲げ応力等の力が加わっても破壊しないような機械的強度が望まれる。
【００１１】
本発明は、又、前記の第一の態様であって、前記の放熱部が、硬線の放熱コイルであることを特徴とする小型電気加熱具を提供する。硬線とは、指や手等により加えることができる力によっては実質的に塑性変形せず、かつコイルを形成してもその弾性変形には大きな力を要する線を意味する。硬線は、放熱性、機械的強度等の観点から、通常、金属等の材質からなる
【００１２】
本発明は、又、前記の第一の態様であって、前記の放熱部が、穴あきパイプであることを特徴とする小型電気加熱具を提供する。穴あきパイプは、金属等の、放熱性や機械的強度が高く、かつ剛性率の大きい（すなわち変形しにくい）材質からなるパイプであって、放熱性を向上するためにパイプには多数の穴が形成されている。
【００１３】
本発明の第ニの態様は、前記の第一の態様の小型電気加熱具と、前記ヒーターと電気的に接続されている柄部とを有し、前記柄部は、保持操作用ケース部と電源コード部からなることを特徴とする小型電気加熱器である。
【００１４】
電源コード部は、保持操作用ケース部に電力を供給する部分であり、通常、電源と接続するコンセント、及びそのコンセントと保持操作用ケース部を電気的に接続するコードからなる。保持操作用ケース部は、手のひら等により保持することができるケースからなり、ケースにはスイッチ等の操作手段が設けられている。スイッチ等の操作手段は、ケースを保持する手のひら等により操作可能に設けられている。
【００１５】
保持操作用ケース部は、小型電気加熱具の前記ヒーターと電気的に接続されている。電源コード部から保持操作用ケース部に供給された電力は、保持操作用ケース部のスイッチ等によりそのオン、オフが操作されながら前記ヒーターに供給され、ヒーターの発熱が制御される。発熱したヒーターからの熱は、ヒーターチップに熱伝導され、ヒーターチップが加熱される。加熱されたヒーターチップの先端部分を、所定の箇所に当接することにより、当該所定の箇所にある半田の溶融による電子部品の取り外し等を行うことができる。
【００１６】
本発明の第三の態様は、前記の第一の態様の小型電気加熱具の三組と、前記小型電気加熱具の各ヒーターと電気的に接続されている柄部とを有し、前記柄部は、保持操作用ケースと電源コード部分からなることを特徴とする三端子電子部品対応小型加熱器である。
【００１７】
この三端子電子部品対応小型加熱器は、前記第ニの態様の小型電気加熱器であって、小型電気加熱具を三組有するものに該当する。小型電気加熱具を三組有することにより、三本の指でそれぞれの小型電気加熱具を操作し、それぞれの小型電気加熱具を三端子電子部品のそれぞれの端子に対応する箇所に当接して加熱して半田の溶融等を行い、三端子電子部品の実装基板からの取り外しを容易に行うことができる。
【００１８】
前記の第三の態様を、前記の第一の態様の小型電気加熱具の二組と、前記小型電気加熱具の各ヒーターと電気的に接続されている柄部とを有し、前記柄部は、保持操作用ケースと電源コード部分からなることを特徴とする二端子電子部品対応小型加熱器でも良い（図示していない）。
【００１９】
この際、二本または三本の指でそれぞれの小型電気加熱具を操作しながら、手のひら等で柄部にあるスイッチの操作を行う。
【発明の効果】
【００２０】
本発明の小型電気加熱具のヒーターは、指の先端に取付けて使うので熱容量が小さくなる。通常、手のひらで握って使用する大きさの小型電気加熱具のヒーターの使用温度は３２０度から３７０度なのに対して、指に取付けて使うヒーターの使用温度は、１００度ほど高い４２０度から５２０度位まで上げなければ電子部品の半田を溶かす事が出来ない。ヒーターの温度が高いと、ヒーターチップの酸化が早くなり半田をはじいてしまう。また、半田の酸化防止用のフラックスを蒸発させてしまう。
【００２１】
その為、柄部に押釦スイッチを設けて、小型の電子部品の実装基板からの取外しに際して、取外し終了時直ぐに柄を握る力を緩めて押釦スイッチでヒーターをオフにする。ヒーターチップの温度が低い時にフラックスを塗り、半田線をヒーターチップに押しつける。半田線を押しつける時、柄を握る力を入れてヒーターをオンにして、低い温度から半田を溶かす温度まで昇温させ、ヒーターチップを半田で濡らす。ヒーターチップが半田で濡れれば、電子部品の半田を容易に溶かす事が出来る。従って、電子部品の取外し用具に最適である。
本発明の三端子電子部品対応電気加熱器によれば、三端子電子部品までの取外しを容易にかつ効率よく行うことができる。
【図面の簡単な説明】
【００２２】
【図１】本発明の小型電気加熱具の一例を示す斜視図である。
【図２】本発明の小型電気加熱具の一例の構成を示す分解斜視図である。
【図３】本発明の小型電気加熱具の一例の使用例を示す斜視図である。
【図４】本発明の小型電気加熱具の他の一例を示す斜視図である。
【図５】本発明の小型電気加熱具の他の一例を示す斜視図である。
【図６】本発明の三端子電子部品対応小型加熱器の一例を示す斜視図である。
【図７】本発明の三端子電子部品対応小型加熱器の電源コード部の一例を示す斜視図である。
【発明を実施するための形態】
【００２３】
以下、本発明の実施の形態を図面に基づいて説明する。ただし、以下の実施の形態や実施例は、あくまで本発明の一例であって、本発明を限定するものではない。本発明の趣旨を損なえない範囲で、以下の実施の形態や実施例を変更することができる。
【００２４】
軟線と硬線の定義は前記のとおりであるが、例えば線径が１．５ｍｍ又は２．０ｍｍ程の線を手で指に容易に巻きつけて指取付部分を造られる線を軟線とし、巻き付け難い線を硬線とする。炭素の含有量の違いによる、硬鋼線と軟鋼線とは違う。軟線としては、アルミニウム線や銅線等で、メッキ等の表面処理した線が通常使われる。以下において、軟線のメッキ等の表面処理の記述は省略する。硬線としては、バネ硬線やステンレス鋼線やピアノ線を使う。以下の実施例においては、軟線はアルミニウムから出来ている線のアルミワイヤーを使い、硬線はステンレス鋼線を使う。
また、ヒーターから出ている二本のヒーターリード線を耐熱絶縁するチューブは、ポリイミドチューブを使う。
【００２５】
図１は、本発明の小型電気加熱具の一例を示す斜視図である。又、図２は、図１の小型電気加熱具の構成部分を分解した状態を示す分解斜視図である。
図中、１はヒーターチップを、２はシースヒーターを、３はシースヒーター２に電気を供給するためのヒーターリード線であり、４はヒーターリード線３を耐熱絶縁したヒーターリード線である。加熱部は、ヒーターチップ１及びシースヒーター２により構成する。６は放熱コイル（放熱部）であり、８は指キャップコイルを形成するための軟線であるアルミワイヤーであり、９はアルミワイヤー８（軟線）を巻いて形成した指キャップコイルである。
【００２６】
この例では、ヒーターは、外径２．５ｍｍ長さ１８ｍｍのシースヒーター２を使い、長さ１００ｍｍ撚り線径０．３ｍｍの二本のヒーターリード線３が付いている。シースヒーター２とは、シース（金属パイプ）に、耐熱絶縁された発熱体を挿着して末端部を耐熱接着剤でモールドしたヒーターである。発熱体は、ニクロム線等の合金属ヒーターまたは、セラミック等の非金属発熱体ヒーターやＰＴＣ(自己温度制御）ヒーターでも良い。発熱体の耐熱絶縁方法は、発熱体の周囲にセラミック絶縁物(マグネシア）等を詰める。シースヒーター２をヒーターチップのパイプ状胴部分に全部挿入し耐熱接着剤等で固定して内蔵させる。
組み立て後を表している図１では、シースヒーター２はヒーターチップ１内蔵されているので表されていない。
【００２７】
ヒーターリード線３の片方を内径０．４ｍｍ厚さ０．０６ｍｍのポリイミドチューブで被覆して、二本をまとめて内径０．９ｍｍ厚さ０．０６ｍｍのポリイミドチューブで被覆して一本にした、耐熱絶縁ヒーターリード線４をつくる。
【００２８】
ヒーターチップ１の寸法は、外径３．５ｍｍの長さ２５ｍｍで、先端部分とパイプ状胴部分に分けられる。先端部分は、この例でｈが６０度斜めカットされているが、先端部分の形状は限定するものではない。パイプ状胴部分の寸法は、外径３．５ｍｍ、内径２．５ｍｍ、長さ２０ｍｍである。
【００２９】
放熱コイル６は硬線のステンレス鋼線から形成され、その前端にヒーターチップ１の後端を５ｍｍ程圧入し固定する。具体的には、ステンレス鋼線の放熱コイル６は、線形０．５ｍｍのステンレス鋼線を内径３．３ｍｍに２０ｍｍの長さに巻いて造る。
なお、前端、後端における前・後の接頭語の定義は、ヒーターチップ１側を前とし、指キャップコイル９側（アルミワイヤー８側）を後とする。以後の他の例においても同じである。後述の柄部の場合、柄側を前側とし電源コード側を後側とする。
【００３０】
放熱コイルとしては、ストレートなコイルだけでなくより効率良く放熱させる為中央を太鼓状にしても良く、放熱コイルの後端にアルミワイヤー８を直接圧挿入し固定出来る様に絞っても良い。この時、耐熱絶縁ヒーターリード線４は絞っていない所から出す。
【００３１】
アルミワイヤー８は、放熱コイル６の後端内壁に挿入され固定されている。具体的には、ステンレス鋼線の放熱コイル６の後端に線径１．５ｍｍで１５０ｍｍから２５０ｍｍの長さのアルミワイヤー８を５ｍｍ程放熱コイル６の後端内壁に挿入し固定する。
【００３２】
シースヒーター２からの耐熱絶縁ヒーターリード線４は、ステンレス鋼線の放熱コイル６の後端の開口部から出す。
なお、上記の例において、固定や接続する方法は、耐熱接着剤やロウ付けや溶接等を利用する。以下の例においても同様である。
【００３３】
図３は、本発明の小型電気加熱具の一例の使用例を示す。
すなわち、前記の小型電気加熱具の一例の指キャップコイル９内に指先を挿入した状態を示す斜視図である。なお、通常、指キャップコイル９は、アルミワイヤー８を指先に巻いて形成する。他の人が使う時や別な指で使う時は、またアルミワイヤー８を巻き直して使う。
【００３４】
図４は、放熱コイル６と指キャップコイル９が同じ材質の一体物である例の斜視図である。
この例では、線径０．５ｍｍのステンレス鋼線だけで、放熱コイル６と指キャップコイル９が連続して造られている。ただし、指キャップコイル９はステンレス鋼線だけの一体物なので、指に巻いて形成し指にフィットすることは困難であり、又指のサイズは人により違う為、指を挿入する為の開口部の開口内径と長さのサイズを数種類揃える。例えば、開口内径が１０ｍｍ-１２ｍｍ-１４ｍｍ-１６ｍｍ-１８ｍｍ-２０ｍｍの６種類。指キャップ部分の長さも２０ｍｍ−２５ｍｍ-３０ｍｍ等の種類を揃える。他の点は、図１の例と同様である。シースヒーター２を内蔵したヒーターチップ１の後端の５ｍｍ程を、放熱コイル６に圧入し固定する。
【００３５】
図５は、放熱部としてステンレス鋼線の放熱コイル６の代わりに穴あきパイプ７を使用した例を示す斜視図である。他の点は、図１の例と同様である。
穴あきパイプ７は、肉厚０．５ｍｍで内径３．５ｍｍ、長さ２０ｍｍである。
【００３６】
穴あきパイプ７では、直径１．０ｍｍ程の穴が、パイプの両端の２．０ｍｍ程を残して千鳥状に四列等間隔で合計４０個程空けられている。ヒーターは、外径２．５ｍｍ長さ１８ｍｍのシースヒーター２を使い、ヒーターチップ１の外径３．５ｍｍ内径２．５ｍｍの後端に５ｍｍ程挿入して固定する。穴あきパイプ７の前端にヒーターチップ１の後端を５ｍｍ程挿入して固定する。穴あきパイプ７の後端に５ｍｍ程、線径１．５ｍｍで１５０ｍｍから２５０ｍｍの長さのアルミワイヤー８を放熱コイル６の後端内壁に挿入し固定してから、指に巻いてアルミワイヤーの指キャップコイル９を造る。
【００３７】
図６は、本発明の三端子電子部品対応小型加熱器の一例を示す斜視図である。
図より明らかなように、この三端子電子部品対応小型加熱器は、前記の本発明の小型電気加熱具の三組と、前記小型電気加熱具の各ヒーターと電気的に接続されている柄部とにより構成されており、柄部は、保持操作用ケース１３と電源コード部であるＡＣコンセント付電源コード１４からなる。
【００３８】
三組の小型電気加熱具のそれぞれの構成やその製造は前記の例と同様であるので説明を省略する。三組の小型電気加熱具のそれぞれの耐熱絶縁ヒーターリード線４は、ステンレス鋼線の放熱コイル６の後端から出て、保持操作用ケース１３に接続されている。保持操作用ケース１３は、１５ｍｍ×２５ｍｍ×６０ｍｍの寸法にする。ケース１３の表面には、ａ接点の押釦スイッチ１２とヒーターランプ１１を設ける。保持操作用ケース１３の内部では、シースヒーター２からの三本のヒーターリード線３が、保持操作用ケース１３の前端穴より挿入され、ヒーターランプ１１とヒューズ等を介してヒータースイッチ１２の前端子と接続している。ヒータースイッチ１２の後端子には、ＡＣコンセント付電源コード14が接続され、電源コード14はケース１３の後端穴から直接出す。
【００３９】
ヒータースイッチに、a接点の押釦スイッチ１２を用いることにより、保持操作用ケース１３を握ったままで操作出来るようになる。柄の部分柄を強く握ったり、強く握るのをやめたりすることでスイッチのオンやオフを操作出来る。トグルスイッチやスライドスイッチまたはロッカスイッチ等を使っても良い。
【００４０】
図７は、図６の例におけるＡＣ用の電源コード14の代わりに用いられる直流用の電源コードの斜視図である。
直流の電源コードは、プラグ１６とスイッチングＡＣアダプター付電源コード１５からなる。保持操作用ケース１３は、その後端部にプラグ用ジャックを有し（図示していない）、このプラグ用ジャックは、押釦スイッチ１２の後端子と接続されている。直流用の電源コードを使用するときは、このプラグ用ジャックにプラグ１６を接続して使用する。
【符号の説明】
【００４１】
1      ヒーターチップ
2      シースヒーター
3      ヒーターリード線
4      耐熱絶縁ヒーターリード線
5      人差し指
6      ステンレス鋼線の放熱コイル
7      穴あきパイプ
8      アルミワイヤー
9      アルミワイヤーの指キャップコイル
10    ステンレス線の指キャップコイル
11    ヒーターランプ
12    押釦スイッチ
13    保持操作用ケース
14    ACコンセント付電源コード
15    スイッチングＡＣアダプター付電源コード
16    プラグ用ジャック
【図１】
2014000596.tif 000003
【図２】
2014000596.tif 000004
【図３】
2014000596.tif 000005
【図４】
2014000596.tif 000006
【図５】
2014000596.tif 000007
【図６】
2014000596.tif 000008
【図７】
2014000596.tif 000009